(57)【要約】【課題】ボトル本体の飲み口縁側への傾きが増して行っても片開き蓋が鼻に当たらないような直飲みができるボトル栓とする。【解決手段】ボトル本体１の上端に被さるように装着される飲み口２ａを持った栓体２と、この栓体２の片側のヒンジ軸３を中心に飲み口２ａを開閉する片開き蓋４と、片開き蓋４を閉じ位置にロックし、かつロックを解除できるようにしたロック機構５とを備え、飲み口２ａは、飲み口２ａへの流出飲料を受け流して直飲みに供する飲み口縁２ｂを、少なくとも、直飲みするユーザの鼻が片開き蓋４に正対しない向きに有したものとして、上記の目的を達成する。【選択図】図４
2011235935.tif 000002
【特許請求の範囲】
【請求項１】
ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、飲み口は、飲み口への流出飲料を受け流して直飲みに供する飲み口縁を、少なくとも、直飲みするユーザの鼻が片開き蓋に正対しない向きに有したことを特徴とするボトル栓。
【請求項２】
ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、飲み口は、飲み口への流出飲料を受け流して直飲みに供する飲み口縁を、直飲みするユーザの鼻が片開き蓋に正対しないヒンジ軸に平行な２つの向き、または、この２つの向きを含むヒンジ軸を避けた広域、に有したことを特徴とするボトル栓。
【請求項３】
ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、栓体は、ボトル口の外側に被さって装着されて、片開き蓋をヒンジ軸で連結しているカバー壁と、このカバー壁に着脱できるように装着されて飲み口を有する栓本体部とを有し、飲み口は、栓体の軸線に直角な平面上にある上端周縁を飲み口縁としていることを特徴とするボトル栓。
【請求項４】
飲み口は、飲み口縁に繋がって凹陥する受皿の底部に飲み口縁に向け飲料を流出させる流出口を備え、片開き蓋は、その内側に突出している内蓋部によって、飲み口をその流出口よりも上の部分で閉じる請求項１〜３のいずれか１項に記載のボトル栓。
【請求項５】
ロック機構は、反ヒンジ軸側に設けられて、片開き蓋の自由端側でロックする請求項１〜４のいずれか１項に記載のボトル栓。
【発明の詳細な説明】
【技術分野】
【０００１】
ボトル本体の上端に被さるように装着される、直飲みできる飲み口を持った栓体と、この栓体の片側のヒンジ軸を中心に飲み口を開閉する片開き蓋と、蓋を開き位置にロックし、そのロックを解除するロック機構とを備えたボトル栓に関する。
【背景技術】
【０００２】
このようなボトル栓は、下記特許文献１、２などで既に知られている。このボトル栓の飲み口は、開閉時にヒンジ軸を中心に起伏する片開き蓋に対応して、特許文献１、２に見られるように、ボトル栓の反ヒンジ軸側から飲みやすい位置および形態にて設けられている。
【０００３】
例えば、特許文献１に記載の飲み口は、栓体の天面にボトル口とほぼ同心で、かつ、反ヒンジ軸側を深く凹陥した受皿を有し、ボトル本体の前傾に伴い、飲料を受皿に流出させた上で、受皿の反ヒンジ軸側周壁を他の部分よりも高く突出させた飲み口縁へと導出して直飲みできるようにした形態を開示している。このような飲料の受皿への流出と、受皿に流出した飲料の飲み口への導出がスムーズに行われるように、特許文献１に開示の技術は、飲料の受皿への流出口を、受皿の反ヒンジ軸側に偏って位置し、飲料が流出口から受皿の周壁の飲み口側の基部近くに流れ出て後、長い道程の案内による整流化と、ボトルの前傾調整に見合う流量調整とを受けて飲み口縁に達して直飲みされるようにしている。もっとも、飲み口は前記のような流出飲料の案内機能上、注ぎ口としても利用できる。
【０００４】
また、特許文献２に記載の飲み口は、特許文献１に記載の受皿とほぼ同形態の受皿自体を、ボトル口に対して反ヒンジ軸側に偏った小型なものとして形成することにより、飲み口まわりを断熱に有利な多重壁構造とするのを、嵩張りなく達成している。
【先行技術文献】
【特許文献】
【０００５】
【特許文献１】特許第３６２００４２号公報
【特許文献２】特開２００８−２３９１７７号公報
【発明の概要】
【発明が解決しようとする課題】
【０００６】
ところで、片開き蓋は、多くの場合、飲み口縁部よりも、飲み口の受皿の底部にある流出口を閉じることが主眼とされることから、この受皿内に入り込んで流出口を所定の圧接代を有して密閉する内蓋部が比較的大きく突出している場合が多い。このため、ボトル本体を飲み口縁側に前傾させながら飲み口縁を口に当てがって直飲みしてくのに、片開き蓋がばね付勢によってヒンジ軸を中心に後方へほぼ水平に開かれた状態でも、ボトル本体の４５°程度の前傾状態から片開き蓋の内蓋部が鼻に対向し始め、それ以降は徐々に鼻に近づき、個人差があるにしても内蓋部が鼻に当たることが時としてある。まして、片開き蓋が開き方向にばね付勢されていないフリーな場合では、片開き蓋のヒンジ軸まわりの重量バランスやボトル本体取り扱い上の反動で片開き蓋が、前傾側、閉じ側に回動することがあって、鼻への当接の頻度がさらに高まる。
【０００７】
このような事態は、ユーザにとって不快であるし、飲料が少なくなるにつれ飲み難さが増していく問題がある。
【０００８】
本発明は、このような点に鑑み、ボトル本体の飲み口縁側への傾きが増して行っても片開き蓋が鼻に当たらないような直飲みができるボトル栓を提供することを目的としている。
【課題を解決するための手段】
【０００９】
上記のような目的を達成するために、本発明のボトル栓は、ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、飲み口は、飲み口への流出飲料を受け流して直飲みに供する飲み口縁を、少なくとも、直飲みするユーザの鼻が片開き蓋に正対しない向きに有したことを１つの特徴としている。
【００１０】
このような構成では、栓体がボトル本体の上端に被さるように装着されてボトル本体の上部を外装するとともに、飲み口を閉じ、かつ、この閉じ状態はロック機構によりロックされて、ロック機構のロック解除操作なしには不用意に開かれることはない。片開き蓋が閉じ位置へのロックを解除されて、開かれると飲み口が露出するので、その飲み口縁を口に当てがって、ボトル本体の飲み口縁側への傾きを伴い飲料を飲み口に流出させて直飲みすることができる。特に、飲み口縁は少なくとも、直飲みするユーザの鼻が片開き蓋に正対しない向きに設けられて、飲み口への流出飲料を受け流して直飲みに供するので、ボトル本体の飲み口縁側への傾きを伴い直飲みするのにユーザの鼻に片開き蓋が当たるのを避けられる。
【００１１】
本発明のボトル栓は、また、ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、飲み口は、飲み口への流出飲料を受け流して直飲みに供する飲み口縁を、直飲みするユーザの鼻が片開き蓋に正対しないヒンジ軸に平行な２つの向き、または、この２つの向きを含むヒンジ軸を避けた広域、に有したことを別の特徴としている。
【００１２】
このような構成では、栓体がボトル本体の上端に被さるように装着されてボトル本体の上部を外装するとともに、飲み口を閉じ、かつ、この閉じ状態はロック機構によりロックされて、ロック機構のロック解除操作なしには不用意に開かれることはない。片開き蓋が閉じ位置へのロックを解除されて、開かれると飲み口が露出するので、その飲み口縁を口に当てがい、ボトル本体の飲み口縁側への傾きをともない飲料を飲み口に流出させて直飲みすることができる。特に、飲み口縁は、直飲みするユーザの鼻が片開き蓋に正対しないヒンジ軸に平行な２つの向きに設けられると、飲み口への流出飲料を受け流して直飲みに供するので、ボトル本体の飲み口縁側への傾きを伴い直飲みするのにユーザの鼻に片開き蓋が当たるのを避けられる。しかも、２つの向き、つまり、飲み口縁に口を当てたユーザの顔の左に片開き蓋が来る側からと、右に片開き蓋が来る側からと、のボトル本体に対する片手握りでの選択使用ができる。また、飲み口縁は、前記２つの向きを含むヒンジ軸を避けた広域に設けられると、前記の場合に加え、反ヒンジ軸側、および反ヒンジ軸側と前記２つの向きとの間、からの直飲みも選択することができ、鼻に片開き蓋が当たる個人差に応じた多様な向きでの選択使用ができる。
【００１３】
本発明のボトル栓は、また、ボトル本体の上端に被さるように装着される飲み口を持った栓体と、この栓体の片側のヒンジ軸を中心に飲み口を開閉する片開き蓋と、片開き蓋を閉じ位置にロックし、かつロックを解除できるようにしたロック機構とを備え、栓体は、ボトル口の外側に被さって装着されて、片開き蓋をヒンジ軸で連結しているカバー壁と、このカバー壁に着脱できるように装着されて飲み口を有する栓本体部とを有し、飲み口は、栓体の軸線に直角な平面上にある上端周縁を飲み口縁としていることを他の特徴としている。
【００１４】
このような構成では、栓体がボトル本体の上端に被さるように装着されてボトル本体の上部を外装するとともに、飲み口を閉じ、かつ、この閉じ状態はロック機構によりロックされて、ロック機構のロック解除操作なしには不用意に開かれることはない。片開き蓋が閉じ位置へのロックを解除されて、開かれると飲み口が露出するので、その飲み口縁を口に当てがい、ボトル本体の飲み口縁側への傾きをともない飲料を飲み口に流出させて直飲みすることができる。特に、栓体が、互いに着脱できるカバー壁と、栓本体部とに、片開き蓋と、飲み口とを、住み分け装備して、互いが丸洗いできるようにしながら、栓本体部はその飲み口の水平な上端周縁を飲み口縁とする形態の単純化を図って、しかも、鼻に片開き蓋が当たる個人差に応じた多様な向きでの選択使用がより自由にできる。
【００１５】
上記において、さらに、飲み口は、飲み口縁に繋がって凹陥する受皿の底部に飲み口縁に向け飲料を流出させる流出口を備え、片開き蓋は、その内側に突出している内蓋部によって、飲み口をその流出口よりも上の部分で閉じるものとすることができる。
【００１６】
このような構成では、上記に加え、さらに、片開き蓋が飲み口を受皿内に突出する内蓋部で閉じるのに、受皿の底部の流出口の上部で閉じるので、受皿の凹陥度に対する内蓋部の受皿内への必要突出度を低減することができる。
【００１７】
上記において、さらに、ロック機構は、反ヒンジ軸側に設けられて、片開き蓋の自由端側でロックするものとすることができる。
【００１８】
このような構成では、上記に加え、さらに、飲み口縁が少なくとも、直飲みするユーザの鼻が片開き蓋に正対しない向きに設けられることに対し、栓体の片側のヒンジ軸を中心に開閉される片開き蓋の自由端側にロック機構を働かせて閉じ位置にロックして、片開き蓋を、平面支視した、ヒンジ軸の長さ域と、これの中点を通る直径線上で対向するロック部と、の間の直径線を境に対称な三角スペース域で閉じ位置に拘束するので、飲み口縁が飲み口の周方向の全周、部分的、断続的に設けられる違いにかかわらず、シールパッキンの弾性的な馴染み性を伴い全周においてほぼ均等なシール圧を得て飲み口を閉じられる。
【発明の効果】
【００１９】
本発明の１つの特徴のボトル栓によれば、栓体がボトル本体の上端に被さって外装する状態で、飲み口を閉じロック機構によりロックされ不用意に開かれないようにしながら、ロック解除を伴い開くと飲み口が露出してその飲み口縁を口に当てがい、ボトル本体を飲み口縁側へ傾かせることで、飲料を飲み口に流出させて飲み口縁から直飲みできるが、飲み口縁が少なくとも、直飲みするユーザの鼻が片開き蓋に正対しない向きにて直飲みに供するので、ボトル本体の飲み口縁側への傾きを伴い直飲みするのにユーザの鼻に片開き蓋が当たる不快感を回避し、直飲みしやすいものとなる。
【００２０】
本発明の別の特徴のボトル栓によれば、栓体がボトル本体の上端に被さって外装する状態で、飲み口を閉じロック機構によりロックされ不用意に開かれないようにしながら、ロック解除を伴い開くと飲み口が露出してその飲み口縁を口に当てがい、ボトル本体を飲み口縁側へ傾かせることで、飲料を飲み口に流出させて飲み口縁から直飲みでき、飲み口縁が、直飲みするユーザの鼻が片開き蓋に正対しないヒンジ軸に平行な２つの向きにて直飲みに供することによっては、飲み口縁に口を当てたユーザの顔の左に来る側からと、右に来る側からと、のボトル本体に対する片手握りでの選択使用できるようにしながら、いずれにおいても、ボトル本体の飲み口縁側への傾きを伴い直飲みするのにユーザの鼻に片開き蓋が当たる不快感を回避し、飲みやすくする。また、飲み口縁が、前記２つの向きを含むヒンジ軸を避けた広域にあることによっては、前記の場合に加え、反ヒンジ軸側、および反ヒンジ軸側と前記２つの向きとの間、からの直飲みも選択することができ、鼻に片開き蓋が当たる個人差に応じた多様な向きでの選択使用ができ使用に便利である。
【００２１】
本発明の他の特徴のボトル栓によれば、栓体がボトル本体の上端に被さって外装する状態で、飲み口を閉じロック機構によりロックされ不用意に開かれないようにしながら、ロック解除を伴い開くと飲み口が露出してその飲み口縁を口に当てがい、ボトル本体を飲み口縁側へ傾かせることで、飲料を飲み口に流出させて飲み口縁から直飲みでき、栓体が、互いに着脱できるカバー壁と、栓本体部とに、片開き蓋と、飲み口とを、住み分け装備して、互いが丸洗いできるようにしながら、栓本体部はその飲み口の水平な上端周縁を飲み口縁とする形態の単純化を図って成形を容易にし、しかも、鼻に片開き蓋が当たる個人差に応じた多様な向きでの選択使用がより自由にできる。
【００２２】
上記に加え、さらに、片開き蓋が飲み口を受皿内に突出する内蓋部で閉じるのに、受皿の底部の流出口の上部で閉じることにより、受皿の凹陥度に対する内蓋部の受皿内への必要突出度が低減するので、片開き蓋がユーザの直飲みの邪魔になり難くすることができる。
【００２３】
上記に加え、さらに、片開き蓋を、平面支視した、ヒンジ軸の長さ域と、これに直径線上で対向するロック部と、の間の直径線を境に対称な三角スペース域で閉じ位置に拘束することにより、飲み口縁が飲み口の周方向の全周、部分的、断続的に設けられる違いや、飲み口縁に対応して設けられる流出口の位置や数の違いにかかわらず、シールパッキンの弾性的な馴染み性を伴い全周においてほぼ均等なシール圧を得て飲み口を閉じられ、飲み口のシール性を十分に確保することができる。
【図面の簡単な説明】
【００２４】
【図１】本実施の形態に係るボトル栓の１つの具体例をボトル本体への装着状態で示す正面図である。
【図２】同断面図である。
【図３】同ボトル線単体を、片開き蓋を開いて示す側面図である。
【図４】同ボトル栓単体を、片開き蓋を開いて示す平面図である。
【図５】同ボトル栓単体を、片開き蓋を開いて示す斜視図である。
【図６】同ボトル栓単体を、片開き蓋を閉じて示す斜視図である。
【図７】同ボトル栓単体を、片開き蓋を閉じて半部を示す斜視図である。
【発明を実施するための形態】
【００２５】
以下、本発明の実施の形態に係るボトル栓について図１〜図７を参照しながら説明し、本発明の理解に供する。しかし、以下の説明は本発明の具体例であって、特許請求の範囲の記載の内容を限定するものではない。
【００２６】
本実施の形態のボトル栓は、図１、図２に示すようにボトル本体１の上端に被さるように装着され、図２に示すように、飲み口２ａを持った栓体２と、この栓体２の片側のヒンジ軸３を中心に飲み口２ａを開閉する片開き蓋４と、例えば、栓体２の側周に設けられ、片開き蓋４を図１、図２に示す閉じ位置にロックし、かつロックを解除できるようにしたロック機構５とを備えている。ロック機構５は片開き蓋４を閉じ位置にロックするロック部材６と、ボトル本体１を図３に示すように握る片手の親指で操作されてロック部材６のロック、ロック解除を行うロック解除部材８と、を備えている。
【００２７】
これにより、栓体２がボトル本体１の上端に被さるように装着されてボトル本体１の上部を外装するとともに、飲み口２を閉じ、かつ、この閉じ状態はロック機構５によりロックされて、ロック機構５のロック解除操作なしには不用意に開かれることはない。片開き蓋４が閉じ位置へのロックを解除されて、開かれると飲み口２ａが露出するので、その飲み口縁２ｂを口に当てがい、ボトル本体１の飲み口縁２ｂ側への傾きを伴い飲料を飲み口２ａに流出させることにより直飲みすることができる。
【００２８】
本実施の形態のボトル栓は、上記のような基本構成において、飲み口２ａが、飲み口２ａへの流出飲料を受け流して直飲みに供する飲み口縁２ｂを、少なくとも、直飲みするユーザの鼻が片開き蓋４に正対しない向きに有した点に１つの特徴を有している。このように、飲み口縁２ｂは少なくとも、直飲みするユーザの鼻が片開き蓋４に正対しない例えば図４に示すＡ、Ｂの１つの向きに設けられて、飲み口２ａへの流出飲料を受け流して直飲みに供するので、ボトル本体１の飲み口縁２ｂ側への傾きを伴い直飲みするのにユーザの鼻に片開き蓋４が当たるのを避けられる。従って、栓体２がボトル本体１の上端に被さって外装する状態で、飲み口２ａを閉じロック機構５によりロックされ不用意に開かれないようにしながら、ロック解除を伴い開くと飲み口２ａが露出してその飲み口縁２ｂを口に当てがい、ボトル本体１を飲み口縁２ｂ側へ傾かせることで、飲料を飲み口２ａに流出させて飲み口縁２ｂから直飲みできるが、飲み口縁２ｂが少なくとも、直飲みするユーザの鼻が片開き蓋４に正対しない向きにて直飲みに供するので、ボトル本体１の飲み口縁２ｂ側への傾きを伴い直飲みするのにユーザの鼻に片開き蓋４が当たる不快感を回避し、直飲みしやすいものとなる。
【００２９】
このように、飲み口縁２ｂを、これに口をつけるユーザの鼻が片開き蓋４に正対しない向きに設けるのに、飲み口２ａの周方向対応域にて、特許文献１、２に見られるように他より高く形成したり、ストレートな他と違って直飲みしやすい外側への反り形状にしたりして、実質的に部分的に設けることができる。しかし、これに限られることはなく、図示例のように飲み口２ａの栓体２の軸線に直角な平面上にある周方向全周で一様な形態にて形成することもできる。
【００３０】
飲み口２ａの特定の向きに飲み口縁２ｂを設ける関係からは、本実施の形態のボトル栓は、また、図４を参照して飲み口２ａが、飲み口２ａへの流出飲料を受け流して直飲みに供する飲み口縁２ｂを、直飲みするユーザの鼻が片開き蓋４に正対しないヒンジ軸３に平行な２つの向きＡ、Ｂ、または、この２つの向きＡ、Ｂと、反ヒンジ軸３側の向きＣを含むヒンジ軸３を避けた広域（広角）に有した点に別の特徴を有している。このように、飲み口縁２ｂは、直飲みするユーザの鼻が片開き蓋４に正対しないヒンジ軸３に平行な２つの向きＡ、Ｂに設けられると、飲み口２ａへの流出飲料を受け流して直飲みに供するので、ボトル本体１の飲み口縁２ｂ側への傾きを伴い直飲みするのにユーザの鼻に片開き蓋４が当たるのを避けられる。しかも、２つの向き、つまり、飲み口縁２ｂに口を当てたユーザの顔の左に片開き蓋４が来る向きＡ側からと、右に片開き蓋４が来るＢ側からと、のボトル本体１に対する片手握りでの選択使用ができる。また、飲み口縁２ｂは、前記２つの向きを含むヒンジ軸３を避けた向きＡ、Ｂ、Ｃを含む広域に設けられると、前記の場合に加え、反ヒンジ軸３側、および反ヒンジ軸３側と前記２つの向きとの間、からの直飲みも選択することができ、鼻に片開き蓋４が当たる個人差に応じた多様な向きでの選択使用ができる。
【００３１】
したがって、栓体２がボトル本体１の上端に被さって外装する状態で、飲み口２ａを閉じロック機構５によりロックされ不用意に開かれないようにしながら、ロック解除を伴い開くと飲み口２ａが露出してその飲み口縁２ｂを口に当てがい、ボトル本体１を飲み口縁２ｂ側へ傾かせることで、飲料を飲み口２ａに流出させて飲み口縁２ｂから直飲みでき、飲み口縁２ａが、直飲みするユーザの鼻が片開き蓋に正対しないヒンジ軸３に平行な２つの向きにて直飲みに供することによっては、飲み口縁２ｂに口を当てたユーザの顔の左に来る側からと、右に来る側からと、のボトル本体１に対する片手握りでの選択使用できるようにしながら、いずれにおいても、ボトル本体１の飲み口縁２ｂ側への傾きを伴い直飲みするのにユーザの鼻に片開き蓋４が当たる不快感を回避し、飲みやすくする。また、飲み口縁２ｂが、前記２つの向きを含むヒンジ軸３を避けた広域にあることによっては、前記の場合に加え、反ヒンジ軸３側、および反ヒンジ軸３側と前記２つの向きとの間、からの直飲みも選択することができ、鼻に片開き蓋４が当たる個人差に応じた多様な向きでの選択使用ができ使用に便利である。この場合も、飲み口２ａの上端を図示例のようにして対応することもできる。
【００３２】
図示例から、本実施の形態のボトル栓は、また、栓体２は、ボトル口１ａの外側に被さって装着されて、片開き蓋４をヒンジ軸３で連結しているカバー壁１１と、このカバー壁１１に着脱できるように装着されて飲み口２ａを有する栓本体部１２とを有し、飲み口２ａは、栓体２の軸線に直角な平面上にある上端周縁を一様な飲み口縁２ｂとしている点に他の特徴を有している。このように、栓体２が、互いに着脱できるカバー壁１１と、栓本体部１２とに、片開き蓋４と、飲み口２ａとを、住み分け装備して、互いが丸洗いできるようにしながら、栓本体部１２はその飲み口２ａの水平な上端周縁を飲み口縁２ｂとする形態の単純化を図って、しかも、直飲みできないヒンジ軸３側を避けての、鼻に片開き蓋４が当たる個人差に応じた多様な向きでの選択使用がより自由にできる。
【００３３】
したがって、栓体２がボトル本体１の上端に被さって外装する状態で、飲み口２ａを閉じロック機構５によりロックされ不用意に開かれないようにしながら、ロック解除を伴い開くと飲み口２ａが露出してその飲み口縁２ｂを口に当てがい、ボトル本体１を飲み口縁２ｂ側へ傾かせることで、飲料を飲み口２ａに流出させて飲み口縁２ｂから直飲みでき、栓体２が、互いに着脱できるカバー壁１１と、栓本体部１２とに、片開き蓋４と、飲み口２ａとを、住み分け装備して、互いが丸洗いできるようにしながら、栓本体部１２は図示例のようにストレートに立ち上がるなどした飲み口２ａの水平な上端周縁を飲み口縁２ｂとする形態の単純化を図って成形を容易にし、しかも、鼻に片開き蓋４が当たる個人差に応じた多様な向きでの選択使用がより自由にできる。
【００３４】
さらに飲み口２ａは図２、図７に示すように、飲み口縁２ｂに繋がって凹陥する受皿１３の底部に複数の向きの飲み口縁２ｂに向け飲料を流出させ、また飲料の流出に伴い外気を吸気する流出口兼吸気口１４を複数備え、片開き蓋４は、その内側に突出している内蓋部４ａによって、飲み口２ａをその流出口兼吸気口１４よりも上の部分で閉じるようにしている。これにより、片開き蓋４が飲み口２ａを受皿１３内に突出する内蓋部４ａで閉じるのに、受皿１３の底部の流出口兼吸気口１４の上部で閉じるので、受皿１３の凹陥度に対する内蓋部４ａの受皿１３内への必要突出度を低減することができる。従って、内蓋部４ａの受皿１３内への必要突出度に低減は、片開き蓋４の嵩張りを小さくし、かつ、片開き蓋４がユーザの直飲みの邪魔になり難くなる。
【００３５】
図示例では、図４に実線矢印Ａ、Ｂ、Ｃで示すようにヒンジ軸３に平行な左右２つの向きと、反ヒンジ軸３側の向きとの３つの方向で代表して、直飲み方向を示しているが、これに限られることはなく、左方向直飲み位置から反ヒンジ軸側直飲み位置を経由して右方向直飲み位置に至る全域において、片開き蓋４に鼻が当たることのない直飲みができる。これに対応して、流出口兼吸気口１４は、受皿１３の周壁に沿う底部の周辺左右前後の４か所に設けてあり、実線矢印で示す３つの方向からの直飲みに対して対向する流出口兼吸気口１４を通じ飲料が流出し、それらにカウンター方向となる破線矢印で示す３つの方向からの吸気が対応する流出口兼吸気口１４を通じ行われる。これら３つの方向の途中位置からの直飲みに対してはこの直飲み位置に両側から対向する２つの流出口兼吸気口１４から飲料が流出し、吸気はそれらと反対側の２つの流出口兼吸気口１４を通じ行われることになる。これら飲料の流出とそれに伴う吸気とは、飲み口縁２ｂから飲料を注ぎ出す場合にもボトル本体１の傾斜に従い同様になされる。
【００３６】
また、受皿１３の底部は図２に示すように、上に凸のドーム形状にしてある。これにより、受皿１３に流出して直飲みまたは注ぎ出された後、ボトル本体１が起こされたときに受皿１３内に残る飲料を底部の周辺に集めて、そこに位置し、また並んでいる流出口兼吸気口１４を通じボトル本体１内にスムーズに戻すことができる。
【００３７】
さらに、ロック機構５は図１〜図６に示すように、反ヒンジ軸３側に設けられて、片開き蓋４の自由端４ｂ側でロックするものとしている。このように、飲み口縁２ｂが少なくとも、直飲みするユーザの鼻が片開き蓋４に正対しない向きに設けられることに対し、栓体２の片側のヒンジ軸３を中心に開閉される片開き蓋４の自由端４ｂ側にロック機構５を働かせて閉じ位置にロックして、片開き蓋４を、平面支視した、ヒンジ軸３の長さ域と、これの中点を通る直径線上で対向するロック部１５と、の間の直径線を境に対称な図４に斜線を施して示す三角スペース域Ｓで閉じ位置に栓体２の軸線まわりにバランスよく拘束するので、飲み口縁２ｂが飲み口２ａの周方向の全周、部分的、断続的に設けられる違いや、飲み口縁２ｂに対応して設けられる流出口兼吸気口１４の位置や数の違いにかかわらず、シールパッキンの弾性的な馴染み性を伴い全周においてほぼ均等なシール圧を得て飲み口を閉じられる。従って、飲み口のシール性を十分に確保することができる。
【００３８】
このために、図示例では、飲み口２ａの受皿１３の中断に図２、図４、図５、図７に示すような上向きの段部１６を設け、片開き蓋４の内蓋部４ａの下部の外まわりに装着したシールパッキン１７が片開き蓋４の閉じ位置で前記段部１６に圧接されることで、飲み口２ａの全周で、成形誤差や組み立て誤差を吸収して、確実かつほぼ均一なシールの基に密閉できるようにしている。
【００３９】
さらに詳述すると、栓体２がほぼ同径のボトル本体１の上端に被さるように装着されて、ボトル本体１の外面の延長域として、つまり余分な飛び出しによるロック機構５の遠ざかりも、ボトル本体１外面からの入り込みによるロック機構５の遠ざかりも、無しに、ボトル本体１を握る片手の親指によるロック機構５へのアクセス距離が小さくなる。ロック解除部材８は、前記アクセス距離が小さい距離的有利を生かして、ロック部材６をロック解除操作できない図２に示す上動位置にてボトル本体１側からの指掛かり域に操作部８ａが及んで位置することができ、ボトル本体１を握る片手の親指で操作してロック部材６のロック、ロック解除を行うことができる。特に、ロック解除部材８は、操作部８ａがボトル本体１側からの指掛かり域に操作部８ａが及ぶ図２に実線で示す上動位置から図２に仮想線で示す下動位置へさらに下動されて、つまり、ボトル本体１を握る片手側にさらに寄った位置にてロック解除操作をすることができる。また、ロック解除部材８はロック部材６よりも下方にあるので、ロック解除部材８をロック解除操作するのに、ロック部材６が栓体２の側につかえて邪魔になるのを回避することができる。
【００４０】
ロック解除部材８は、ロック部材６をロック解除操作できない上動位置にてボトル本体１側からの指掛かり域に操作部８ａが及んで位置し、前記上動位置から下動して栓体２から下方に突出した操作部８ａの押動にてロック部材６のロック解除操作をするようにしている。これにより、栓体２がほぼ同径のボトル本体１の上端に被さるように装着されて、ボトル本体１の外面の延長域として、つまり余分な飛び出しによるロック機構５の遠ざかりも、ボトル本体外面からの入り込みによるロック機構５の遠ざかりも、無しに、ボトル本体１を握る片手の親指のロック機構５までのアクセス距離が小さくなる。ロック解除部材８は、前記アクセス距離が小さい距離的有利を生かして、ロック部材６をロック解除操作できない上動位置にてボトル本体１側から、ボトル本体１を握る片手からの指掛かり域に操作部８ａが及んで位置することができ、ボトル本体１を握る片手の親指で操作してロック部材６のロック、ロック解除を行うことができる。特に、ロック解除部材８は、操作部８ａがボトル本体１側からの指掛かり域に操作部８ａが及ぶ上動位置から、下動されてボトル本体１を握る片手側にさらに寄った位置にて栓体２から下方に突出した操作部８ａの、栓体２にも邪魔されない押動にてロック解除操作をすることができる。
【００４１】
なお、ロック機構５がロック解除部材８を含み、栓体２側周の保護枠２１により不用意な外力から保護されながら、操作部８ａがボトル本体１側からの指掛かり域に操作部８ａが及ぶ上動位置からさらに下動されて栓体２よりも下方に突出した操作部８ａにてロック解除操作をすることにつき、保護枠１１は、栓体２よりも下方に突出して、ロック解除部材８の下動に対応して保護機能が損なわれないようにしている。
【００４２】
ここで、栓体１は、胴部径が６０ｍｍ未満、よりよくは５０ｍｍ未満のボトル本体１に装着されるものとすることができ、胴部径が６０ｍｍ未満でも、少年、少女以上の大方の人の片手によってボトル本体１の半周以上を、親指の根元部から他の手指、特に長い中指および薬指の先端までで、人差し指、小指を添えて安定に握り、フリーになった親指をボトル本体１に装着された栓体２のロック機構５におけるロック操作部材６をロック、ロック解除操作することができ、ロック解除操作後はそのままの握り状態で栓体２にある飲み口２ａによって直飲みさせられる。５０ｍｍ未満とすれば、安定に片手持ちされる人数が格段に増大する。    
【００４３】
さらに、ボトル本体１は所定の径範囲でストレートに形成されればよいが、図示例では、胴部径が５０ｍｍのストレートな金属製の真空二重容器からなり、上端に胴部径よりも小径に形成されたボトル口１ａを有している。栓体２は、図１、図７に示すようにボトル口１ａの内ねじ２２に螺合してボトル口１ａに着脱できるように装着されてボトル本体１内に飲み口２ａの受皿１３に開口している流出口兼吸気口１４を通じ連通するようにした樹脂製の栓本体部１２と、この栓本体部１２のフランジ部１２ｂに天板の勘合穴１１ａが着脱できるように係合し合って一体成化されて、ボトル口１ａの外側に被さり、ボトル本体１の胴部とほぼ同径となるカバー壁１１とで構成している。栓本体部１２の内ねじ２２への螺合壁１２ａの下端外周にはシールパッキン２３が装着され、このシールパッキン２３がボトル口１ａの奥部にある小径化されたネッキング部２４に圧接して、ボトル口１ａと螺合壁１２ａとの間に飲料が侵入して外部に漏れ出るのを阻止するようにしている。
【００４４】
片開き蓋４は、基本的に飲み口２ａを開閉できればよく、材質も特に問わない。図示例では樹脂製としてあり、カバー壁１１の天板の後部にヒンジ軸３により開閉できるように軸支され、閉じ位置では図１、図２、図６、図７に示すようにカバー壁１１の天板および飲み口２ａを上方から覆い、片開き蓋４の天板内面に上端が超音波溶着などされた内蓋４ａによって飲み口２ａを、その段部１６のと間でシールパッキン１６によりシールして閉じる。この時シールパッキン１６は図２、図７に示すように、受皿１３の底部の流出口兼吸気口１４の配列域の内側環状ライン上に、シールリップ１６ａ内が圧接して、前記環状ライン内に飲料が入り込むのを防止している。これにより、蓋閉じ状態でボトル本体１が横転しても、飲料は受皿１３のシールパッキン１６により閉じられている三角形状環状隙間以上に流れ出るのを防止される。
【００４５】
ロック機構５は、片開き蓋４を閉じ位置にロックし、このロックを解除する動きができるロック部材６と、上動位置と下動位置とで、ロック部材６のロック、ロック解除を行うロック解除部材８とを持つものであれば、その余の動作方式、動作伝達方式は特に問わない。図示例では、カバー壁１５の片開き蓋４の自由端部４ｂ側となる前部の側周の左右両側に一体に形成された保護枠２１内にロック機構５を配置し、保護枠２１の両側壁間にロック部材６およびロック解除部材８を軸３０によって軸支してある。ロック部材６は軸３０まわりに回動でき、下端６ａとカバー壁１５との間に働かせたばね３１の付勢によって、上端の係合爪６ｂが、閉じた片開き蓋４の自由端部４ｂにある係合部４ｃと弾性係合して片開き蓋４を閉じ位置にロックするロック位置に常時あるようにされる。ロック解除部材８は、ロック部材６の背部に位置して、軸３０と上下方向に長い長孔８ｃで嵌り合って既述した上動位置と下動位置との間の上下動と、軸３０まわりのロック部材６と共の回動とができるように軸支されている。
【００４６】
ロック解除部材８は上動位置と下動位置とに安定させるロック部材６などとの間に図示しないクリック係合部などを設けておくのが好適である。ロック解除部材８は上動位置では、下端の内側に出張った当接部８ｂがカバー壁１１の前部下端近くに一体形成された外方に向くストッパ部３２に対向することで、ロック解除部材８の、ロック部材６を伴い図１において軸３０を中心に回動させて、係合爪６ｂを閉じた片開き蓋４の自由端の係合部４ｃとの係合を外し、片開き蓋４の閉じ位置へのロックを解除しようとするのを、当接部８ｂおよびストッパ部３２が当接し合って阻止するので、ロック部材６をロックし、ロック状態に保持することができる。なお、このようなロック状態にあるときに、片開き蓋４が閉じてきた場合は、片開き蓋４の係合部４ｃがロック部材６の係合爪６ｂの斜面どうしが当接し合って、係合爪６ｂをロック部材６とロック解除部材８との間の隙間やロック解除部材８の弾性変形を伴うのけ反りによる遊びを得ることで、係合部６ｂは係合爪６ｂを弾性的に押し退けるようにして係合爪６ｂをその下側に乗り越え、この乗り越え後に弾性復帰する係合爪６ｂに係合し合って閉じ状態にロックされる。
【００４７】
ロック解除部材８を操作部８ａ、特に上側の横一文字な突条部８ａで操作して、下動位置にすると、当接部８ｂがストッパ部１５ａとの対向位置から下方に位置ずれするので、ロック解除部材８のロック部材６を伴っての軸３０を中心とした回動が阻止されなくなり、ロック部材６のロック状態へのロックを解除することができる。これによって、ロック解除部材８を操作部８ａ、特に下側の凹部を押動、つまりカバー壁１１側に押動することにより、ロック解除部材８はロック部材６を伴い、軸３０を中心に反時計回りに回動されて、ロック部材６の係合爪６ｂを片開き蓋４の自由端部の係合部４ｃから外してロックを解除し、片開き蓋４がばね３３の付勢によって図３、図４、図５に示す開き位置まで自動的に開かれる。
【００４８】
なお、当接部８ｂおよびストッパ部３２は、ロック解除部材８および栓体２の一方に一体形成した１つのものとするなど、どのような形態でもよいが、図示例のようにロック解除部材８および栓体２の双方に分担形成することで、ロック解除部材８および栓体２が大きく嵩張るのを防止することができる。また、ロック解除部材８は上動位置側にばねで付勢しておくこともできる。この場合、ロック解除部材８はばねに抗して上動位置から下動位置に移動させた後、下動位置に保持した状態で押動しロック解除操作することになる。しかし、ロック解除操作後ロック解除操作部材８を操作から解放すると、ロック部材６およびロック解除部材８はともにロック位置に自動復帰するので使用しやすくなる。また、栓本体部１２とカバー壁１１とは分離できるので、液通路など細部まで丸洗いできるので、お手入れ性がよい。
【産業上の利用可能性】
【００４９】
本発明は、片開き蓋を持ったボトル栓に実用して、飲み口を開いた片開き蓋に正対しない向きにて、片開き蓋の邪魔無しに直飲みできる。
【符号の説明】
【００５０】
１  ボトル本体
１ａ  ボトル口
２  栓体
２ａ  飲み口
２ｂ  飲み口縁
３  ヒンジ軸
４  片開き蓋
５  ロック機構
１１  カバー壁
１２  栓本体部
１２ａ  螺合壁
１３  受皿
１４  流出口兼吸気口
【図１】
2011235935.tif 000003
【図２】
2011235935.tif 000004
【図３】
2011235935.tif 000005
【図４】
2011235935.tif 000006
【図５】
2011235935.tif 000007
【図６】
2011235935.tif 000008
【図７】
2011235935.tif 000009